(57)【要約】      （修正有）【課題】コンピューターのＵＳＢ端子に接続して使用する小型無線受信器において、該ＵＳＢ端子から該小型無線受信器を引き抜きやすくするための引き抜き部材を一体成型した小型無線受信器を提供する。【解決手段】ＵＳＢ端子との接続部３０２を含む小型無線受信器３００及び該小型無線受信器を引き出すための引き出し部３０３をケース３０１と一体成型する事で、該小型無線受信器をコンピューターのＵＳＢ端子から引き抜き易くする。【選択図】図３
0003142432.tif 000002
【実用新案登録請求の範囲】
【請求項１】
コンピュータの接続ポートに挿入してコンピュータ周辺装置からの信号を受信すると共に、前記信号を前記接続ポートから前記コンピュータに伝送するための小型無線受信器の構造であって、
上蓋と下蓋を具備したケースと、
前記ケースの第一側辺に設置して、前記コンピュータの接続ポートに挿入するための接続部と、
前記ケースの前記第一側辺に平行な第二側辺から延伸させ且つその一端が前記上蓋と前記下蓋の間に挟持された引き抜き部を含むことを特徴とする小型無線受信器の構造。
【請求項２】
前記下蓋には突起部を有し、前記引き抜き部の前記端には固定板を取り付け、且つ前記固定板上には前記突起部をその中に貫通させるための孔を有することを特徴とする請求項１に記載の小型無線受信器の構造。
【請求項３】
さらに前記突起部を加熱して前記突起部を前記固定部に溶融することを特徴とする請求項２に記載の小型無線受信器の構造。
【請求項４】
前記固定板はポリエチレンテレフタレート（ＰＥＴ）で製造することを特徴とする請求項３に記載の小型無線受信器の構造。
【請求項５】
前記上蓋と下蓋はＡＢＳ樹脂で製造することを特徴とする請求項４に記載の小型無線受信器の構造。
【請求項６】
前記上蓋と前記下蓋はポリカーボネイト（ＰＣ）とポリウレタン（ＰＵ）とで構成することを特徴とする請求項１に記載の小型無線受信器の構造。
【請求項７】
前記上蓋と前記下蓋はダブルインジェクションで製造することを特徴とする請求項６に記載の小型無線受信器の構造。
【請求項８】
前記引き抜き部はポリ塩化ビニル（ＰＶＣ）、アクリル或いはゴムで製造することを特徴とする請求項１に記載の小型無線受信器の構造。
【請求項９】
前記接続ポートはＵＳＢ（ユニバーサル  シリアル  バス）接続ポートであることを特徴とする請求項１に記載の小型無線受信器の構造。
【考案の詳細な説明】
【技術分野】
【０００１】
本考案は無線受信器に関し、特に容積が小さな小型無線受信器に関する。
【背景技術】
【０００２】
科学技術が日進月歩の現代において、コンピュータは大勢の人々が毎日使用しているツールであり、そのうちコンピュータ操作に使用するのがマウスである。マウスは従来のワイヤードマウスから固体伝送線での接続が不要なワイヤレスマウスへと進化し、固体伝送線の無いワイヤレスマウスはコンピュータに接続する無線受信器からワイヤレスマウスが発する信号を受信するが、一般の無線受信器はＵＳＢ接続ポートを通じてコンピュータに接続し、またワイヤレスマウス内部には無線発射装置を取り付けて、ユーザーのワイヤレスマウス操作コマンドを無線信号方式で、コンピュータに接続した無線受信器に送信し、前記コマンドをコンピュータに伝送して読み取らせることにより、ワイヤレスマウスは作動する。
【０００３】
図１は従来の無線受信器の外観構造概略図である。無線受信器１００はケース１０１及び接続部１０２からなり、ケース１０１内には回路板（図示せず）を取り付け、無線受信器１００の接続部１０２とコンピュータのＵＳＢ接続ポートが接続されると、回路板は無線受信器１００回路と信号作動を制御する。またケース１０１は回路板が露出しないように保護する役目の他に、さらにユーザーが握る機能をも提供し、また図１から分かるように、無線受信器１００のケース１０１の長さは接続部１０２の長さより長く、ユーザーが握るだけの容積が充分あるので、無線受信器１００はマウス（図示せず）内部に収納又はＵＳＢ接続ポートに挿入しても、ユーザーは何れの場合もケース１０１を持って容易く無線受信器１００をマウス若しくはＵＳＢ接続ポートから抜き出すことができる。
【０００４】
無線受信器の容積が過大なために収納に不便であることに鑑み、各ワイヤレスマウスメーカーは無線受信器の容積に改良を施し、時代の変遷と共にワイヤレスマウスの容積はますます小型化し、マーケットでは既に容積が相当小さな小型無線受信器が出回っており、図２は従来の小型無線受信器の外観構造概略図である。小型無線受信器２００はケース２０１と接続部２０２からなり、その機能は図１で開示した無線受信器と全く同様で、相違点は小型無線受信器２００のケース２０１の長さが接続部２０２の長さより短いだけであり、図２の接続部２０２の長さは図１の接続部１０２に等しい。従って、小型無線受信器２００と無線受信器１００と比較すると、その容積は確実に相当縮小していることが明らかに分かる。
【０００５】
然しながら、小型無線受信器２００の容積が縮小したことで無線受信器の収納方法がかなり便利となった反面、無線受信器の容積が過小なために新たな問題が生じている。それは、小型無線受信器のユーザーが握れる容積が相対的に小さくなり、即ち小型無線受信器２００は握り持つのに不便で、特に小型無線受信器２００をＵＳＢ接続ポートに挿入する際、ケース２０１のみがＵＳＢ接続ポートから露出しているだけなので、ユーザーは小型無線受信器２００を容易につかんだり、ＵＳＢ接続ポートから抜き出したりすることができず、小型無線受信器２００を抜き出す際に却って使用面で不便が生じている。
【考案の開示】
【考案が解決しようとする課題】
【０００６】
本考案の目的は小型無線受信器、特に容易く抜き取ることができる小型無線受信器を提供することにある。
【課題を解決するための手段】
【０００７】
好ましい実施例において、本考案はコンピュータの接続ポートに挿入してコンピュータ周辺装置からの信号を受信すると共に、前記信号を接続ポートからコンピュータに伝送するための小型無線受信器の構造を開示し、それは上蓋と下蓋を具備したケースと、ケースの第一側辺に設置してコンピュータの接続ポートに挿入するための接続部及びケースの第一側辺と平行な第二側辺から延伸させ且つその一端が上蓋と下蓋の間に挟持された引き抜き部からなる。
【０００８】
好ましい実施例において、下蓋には突起部を有し、引き抜き部の前記端には固定板を取り付け、且つ固定板には突起部をその中に貫通させるための孔を有する。
【０００９】
好ましい実施例において、さらに突起部を加熱して突起部を固定部に溶融する。
【００１０】
好ましい実施例において、固定板はポリエチレンテレフタレート（ＰＥＴ）で製造する。
【００１１】
好ましい実施例において、上蓋と下蓋はＡＢＳ樹脂で製造する。
【００１２】
好ましい実施例において、上蓋と下蓋はポリカーボネイト（ＰＣ）とポリウレタン（ＰＵ）とで構成する。
【００１３】
好ましい実施例において、上蓋と下蓋はダブルインジェクションで製造する。
【００１４】
好ましい実施例において、引き抜き部はポリ塩化ビニル（ＰＶＣ）、アクリル或いはゴムで製造する。
【００１５】
好ましい実施例において、接続ポートはＵＳＢ接続ポートである。
【考案を実施するための最良の形態】
【００１６】
本考案を次に図面により詳細に説明する。
【実施例】
【００１７】
従来の小型無線受信器が不便を来たしているのに応えて、本考案ではユーザーが容易く持つことができる小型無線受信器を提供する。図３は本考案の小型無線受信器の外観構造概略図である。小型無線受信器３００はケース３０１、接続部３０２及び引き抜き部３０３からなり、接続部３０２はケース３０１の第一側辺３０２１に設け、引き抜き部３０３はケース３０１から延伸し、且つ第一側辺３０２１に平行な第二側辺３０２２に設置する。接続部３０２はコンピュータのＵＳＢ接続ポートを挿入するもので、小型無線受信器３００とコンピュータ間を接続し、また引き抜き部３０３はユーザーが持つためのもので、小型無線受信器３００をＵＳＢ接続ポート又はワイヤレスマウスの収納スペースから抜き出し易くする。
【００１８】
続いて本考案の小型無線受信器の好ましい実施例の成型方法を説明する。図４ａは本考案の小型無線受信器の第一の好ましい実施例の成型断面図であり、図４ｂは本考案の小型無線受信器の第一の好ましい実施例の構造断面図である。図４ｂでは、小型無線受信器３００のケース３０１は上蓋３０１１と下蓋３０１２を含み、上蓋３０１１と下蓋３０１２の材質は同様で、何れもポリカーボネイト（ＰＣ）とポリウレタン（ＰＵ）とで構成する。図４ａでは、モールド５００の両側には共に凹溝があり、両側の凹溝間には接続部３０２と引き抜き部３０３を設置し、凹溝の中にはＰＣとＰＵ樹脂を注入し、モールド５００を加熱、加圧して成型する工程を経て、モールド５００を取り外し、成型が完了した小型無線受信器は図４ｂで示され、前記上蓋３０１１と下蓋３０１２はダブルインジェクションで製造する。以上が本考案の小型無線受信器の第一の好ましい実施例である。
【００１９】
本考案はさらに第二の好ましい実施例を開示し、図５は本考案の小型無線受信器の第二の好ましい実施例の構造成型断面図である。小型無線受信器４００はケース４０１、接続部４０２及び引き抜き部４０３からなり、ケース４０１は上蓋４０１１と下蓋４０１２を含み、また下蓋４０１２には突起部４０４を有し、上蓋と下蓋はＡＢＳ樹脂で製造し、ＡＢＳ樹脂は、アクリロニトリル、ブタジエン、スチレンの三者混合からなるスチレン系樹脂である。引き抜き部４０３の先端には固定板４０５を取り付け、引き抜き部４０３はポリ塩化ビニル（ＰＶＣ）、アクリル）或いはゴムを材質とし、また固定板４０５はポリエチレンテレフタラート（ＰＥＴ）で製造するが、ＰＥＴは俗に謂うマイラー片である。固定板４０５には孔４０６を有し、下蓋４０１２の突起部４０４が孔４０６を貫通してこれと結合し、また固定板４０５は下蓋４０１２に固定して引き抜き部４０３をケース４０１の第二側辺４０２２にしっかりと接続させる。図５に示すように、接続部４０２はケース４０１の第一側辺４０２１に設置されて、引き抜き部４０３と共に上蓋４０１１と下蓋４０１２に挟持される。固定板４０５の孔４０６と下蓋４０１２の突起部４０４を結合させることにより、引き抜き部４０３をケース４０１に固定させる。このほかに、突起部４０４を加熱して固定板４０５とを溶融させて、突起部４０４と固定板４０５間を一層緊密に結合させて、引き抜き部４０３をさらに安定的に固定する。
【００２０】
本考案が開示する小型無線受信器は、ユーザーが引き抜き部を容易く持てるようにし、また小型無線受信器が抜き取り難いという欠点を改善し、且つ引き抜き部の材質が非剛性材質であるので外力によって折れることがなく、ワイヤレスマウス内部に収納された際にも、引き抜き部がマウス構造による圧力を受けても断裂することはなく、さらに引き抜き部は折り曲げて引くことができるのでスペースを取らず、無線受信器の収納構造に合せた構造で自由に折り曲がるので、小型無線受信器の全長が伸びて無線受信器が収納し難くなることはない。上記の内容から、本考案の小型無線受信器の構造は従来技術の不足を補填した上に、さらに利便性を小型無線受信器に提供したことで小型無線受信器は機能性と利便性を兼備することが分かる。
【００２１】
以上の記述は本考案の好ましい実施例に過ぎず、これをもって本考案の実施範囲を限定するものではなく、また、本考案で開示した精神を逸脱しない範囲において完成した等価変更若しくは修飾、全て本実用新案登録請求の範囲内とする。
【図面の簡単な説明】
【００２２】
【図１】従来の無線受信器の外観構造概略図である。
【図２】従来の小型無線受信器の外観構造概略図である。
【図３】本考案の小型無線受信器の外観構造概略図である。
【図４ａ】本考案の小型無線受信器の第一の好ましい実施例の成型断面図である。
【図４ｂ】本考案の小型無線受信器の第一の好ましい実施例の構造断面図である。
【図５】本考案の小型無線受信器の第二の好ましい実施例の構造成型断面図である。
【符号の説明】
【００２３】
１００、２００、３００、４００  無線受信器
１０１、２０１、３０１、４０１  ケース
１０２、２０２、３０２、４０２  接続部
３０１１、４０１１              上蓋
３０１２、４０１２              下蓋
３０２１、４０２１              第一側辺
３０２２、４０２２              第二側辺
３０３、４０３                  引き抜き部
４０４                          突起部
４０５                          固定板
４０６                          孔
５００                          モールド
ＰＣ                            ポリカーボネイト
ＰＵ                            ポリウレタン
【図１】
0003142432.tif 000003
【図２】
0003142432.tif 000004
【図３】
0003142432.tif 000005
【図４ａ】
0003142432.tif 000006
【図４ｂ】
0003142432.tif 000007
【図５】
0003142432.tif 000008